(57)【要約】      （修正有）【課題】ビニールハウスの外郭被覆材をハウス骨組みへ固定する手段、又はビニールハウス等の構築に使用される扉や窓枠などの部品、備品類のシート止着装置を提供する。【解決手段】シート受け溝形材１の両側壁３、３の開口縁部に外向きに形成された止め縁４は、同側壁３の開口縁部の位置から外向きに湾曲され水平よりも少し前下がりの角度で延長され側壁３との間に略Ｖ字形溝７を形成する延長板部４ａと、前記延長板部４ａの先端を裏側へ折り返した折り返し部４ｂとで構成され、シート止め板材６は、シート受け溝形材１の開口縁部の延長板部４ａおよび折り返し部４ｂの外面に密着するように重なる上向きに少し膨らんだ横断面形状から成り、その両側縁部に前記シート受け溝形材１の延長板部４ａおよび折り返し部４ｂが形成する略Ｖ字形溝７の中に一部入り込む円弧形状の掛け止め部９を有し、横断面中央部分Ｅの板厚を若干薄く形成されている。【選択図】図１
2005348691.tif 000002
【特許請求の範囲】
【請求項１】
開口部を幅狭に形成されたシート受け溝を有し、前記シート受け溝を形成する両側壁の開口縁部に外向きの止め縁を形成されたシート受け溝形材と、前記シート受け溝形材の長手方向に沿って開口部を覆い両側壁の止め縁との間にシートを挟み同止め縁へ掛け止めて同シートを止着するシート止め板材との組合せから成り、
前記シート受け溝形材の両側壁の開口縁部に外向きに形成された止め縁は、同側壁の開口縁部の位置から外向きに湾曲され水平よりも少し前下がりの角度で延長されて側壁との間に略Ｖ字形溝を形成する延長板部と、前記延長板部の先端を裏側へ折り返した折り返し部とで構成され、
前記シート止め板材は、前記シート受け溝形材の開口縁部の延長板部および折り返し部の外面に密着するように重なる上向きに少し膨らんだ横断面形状から成り、その両側縁部に前記シート受け溝形材の延長板部および折り返し部が形成する略Ｖ字形溝の中に一部入り込む円弧形状の掛け止め部を有し、横断面中央部分の板厚を若干薄く形成されていることを特徴とする、ビニールハウス等のシート止着装置。
【請求項２】
シート止め板材は、その横断面の中央下面部に下向きに突き出して止着シートの張力を加増する押し縁がその先端部を丸めた形状に形成されていることを特徴とする、請求項１に記載したビニールハウス等のシート止着装置。
【請求項３】
シート止め板材は、アルミニウムの押し出し成形品であることを特徴とする、請求項１又は２に記載したビニールハウス等のシート止着装置。
【請求項４】
シート受け溝形材のシート受け溝内に、バネ性を有する波形状の止め線によりシートが押し込まれ止着されていることを特徴とする、請求項１に記載したビニールハウス等のシート止着装置。
【発明の詳細な説明】
【技術分野】
【０００１】
この発明は、簡易構造の温室として周知のいわゆるビニールハウスの外郭被覆材である透光性のフィルム状シート、特にそれが軟質シートであるか中・硬質シートであるかの別を問わず、ハウス骨組みへ少なくとも１枚、或いは必要に応じて２枚以上を重ね張りして固定する手段として使用され、又はビニールハウス等の構築に使用される出入り口用の扉や窓枠などの部品、備品類のシート止着手段としても使用されるシート止着装置の技術分野に属する。
【背景技術】
【０００２】
ビニールハウスの外郭被覆材である透光性のシートを、鋼製パイプ等で予め組み立てたハウス骨組みへ固定する手段としてのシート止着装置は、下記の特許文献１に原型が考案され実用に供されて以来、若干の改良、工夫を加えられたものの、今日まで原型をとどめた形で広く一般的に使用されている。シート止着装置は開口部を幅狭に形成されたシート受け溝を有するシート受け溝形材と、バネ性の強い鋼線を前記シート受け溝の溝幅よりも少し広幅の台形波が交互に逆向きとなる連続波形状等に成形加工した止め線とで構成されている。シート受け溝形材は通例帯鋼板のロールフォーミング成形加工法で製造されている。
【０００３】
もっとも、特許文献１のシート止着装置は、本来軟質のビニールシート止着用として考案されたもので、最近主流のポリオレフィン系フィルムシート類の止着には適用できるが、所謂硬質フィルムシートの止着には不向きとされる。そのため硬質フィルム止着用のシート止着装置が、例えば下記の特許文献２のように考案され実用に供されてきた。
【０００４】
【特許文献１】実公昭４８−３７７１５号公報
【特許文献２】実公平２−４２８８２号公報
【発明の開示】
【発明が解決しようとする課題】
【０００５】
硬質フィルムシート（以下、単に硬質シートという。）を止着する場合は、当然にシートの反発力ないし抵抗が強く、特許文献１に示されたようなバネ性が強い程度の止め線ではシート受け溝形材のシート受け溝の中へ押さえ込んで必要十分な強さに止めることは難しい。のみならず、硬質シートは、局部を極端に強く折り曲げると、そこに亀裂が入って破損する性質があり、この意味でも適用は無理とされる。
一方、上記特許文献２に開示された硬質シート止着装置は、硬質シートを平面的に挟み付ける押さえ縁（又は当て縁）を用い、これをタップビスにより相手側部材へ締結して止める手法が採用されている。もとより軟質シートの止着装置とは別異に構成されており、併用は難しい。軟質シートは、タップビスで突き破ると、そこから破損が拡大、成長するからである。
【０００６】
上記特許文献２の硬質シート止着装置が特に工夫した重要課題は、既に先行して広く一般的に使用され規格化された製品に等しい、特許文献１に開示されたシート受け溝形材の外形および寸法を尊重して、少なくとも同シート受け溝形材を鋼製パイプ等で予め組み立てたハウス骨組みへ取り付け固定する手段として多種多様に開発され実用に供されている連結具類をそのまま適用できるようにすることである。そのようにしないと、個別に専用の連結具類を開発し製造して用いるほか無くなり、それでは製品開発の労力と経済的負担が大きすぎるし製品管理の煩わしさに耐えられないからである。
【０００７】
次に、ビニールハウスに強く要求される性能は、寒冷期の暖房費用を低減するため断熱性を向上すること、および作物の種類或いは生育過程でしばしば要求される、太陽光が直接に当たらないように遮る遮光ネット等の使用を可能にすることである。その解決策として、通例はシート止着装置を、１枚のシートだけでなく、必要に応じて２枚３枚と重ねて多重張りができる構成に工夫する。しかし、上記特許文献１、２のシート止着装置は、シートの多重張りには適さない構成である。
【０００８】
本発明の目的は、既往のシート受け溝形材に適用される連結具類は等しく共通に使用することができ、しかも軟質シート、硬質シートの別無く比較的簡単、確実に止着できる構成のシート止着装置を提供することである。
本発明の次の目的は、軟質シートであれ硬質シートであっても、必要に応じて２枚、３枚と重ねて多重張りができる構成のシート止着装置を提供することである。
【課題を解決するための手段】
【０００９】
上述した従来技術の課題を解決するための手段として、請求項１に記載した発明に係るビニールハウス等のシート止着装置は、
開口部を幅狭に形成されたシート受け溝２を有し、前記シート受け溝２を形成する両側壁３、３の開口縁部に外向きの止め縁４を形成されたシート受け溝形材１と、前記シート受け溝形材１の長手方向に沿って開口部を覆い両側壁３、３の止め縁４との間にシート５を挟み同止め縁４へ掛け止めて同シートを止着するシート止め板材６との組合せから成り、
前記シート受け溝形材１の両側壁３、３の開口縁部に外向きに形成された止め縁４は、同側壁３の開口縁部の位置から外向きに湾曲され水平よりも少し前下がりの角度で延長されて側壁３との間に略Ｖ字形溝７を形成する延長板部４ａと、前記延長板部４ａの先端を裏側へ折り返した折り返し部４ｂとで構成され、
前記シート止め板材６は、前記シート受け溝形材１の開口縁部の延長板部４ａおよび折り返し部４ｂの外面に密着するように重なる上向きに少し膨らんだ横断面形状から成り、その両側縁部に前記シート受け溝形材１の延長板部４ａおよび折り返し部４ｂが形成する略Ｖ字形溝７の中に一部入り込む円弧形状の掛け止め部９又は９’を有し、横断面中央部分Ｅの板厚を若干薄く形成されていることを特徴とする。
【００１０】
請求項２に記載した発明は、請求項１に記載したビニールハウス等のシート止着装置において、
シート止め板材６は、その横断面の中央下面部に下向きに突き出して止着シート５に張力を加増する押し縁１０がその先端部を丸めた形状に形成されていることを特徴とする。
【００１１】
請求項３に記載した発明は、請求項１又は２に記載したビニールハウス等のシート止着装置において、
シート止め板材６は、アルミニウムの押し出し成形品であることを特徴とする。
【００１２】
請求項４に記載した発明は、請求項１に記載したビニールハウス等のシート止着装置において、
シート受け溝形材１のシート受け溝２内に、バネ性を有する波形状の止め線１１によりシート１２が押し込まれ止着されていることを特徴とする。
【発明の効果】
【００１３】
本発明のシート止着装置は、開口部を幅狭に形成されたシート受け溝２を有するシート受け溝形材１、即ち両側壁３、３の開口縁部に形成された外向きの止め縁４の形状の差異点を除けば、既往のシート受け溝形材の外形および寸法の仕様と変わりないシート受け溝形材１を用いるので、当然のことながら、既往の連結具類をそのまま適用できて至便であり、実施に際しての経済的負担が少なく、新たな製品開発を格別必要としない。
例えばアルミニウムの押し出し成形品として安価に大量生産できるシート止め板材６を使用するので、局部を極端に強く折り曲げると、そこに亀裂が入って破損しやすい性質の硬質シートでも、無理なく止着できる。もちろん、軟質シートの止着にも適用できるのであり、硬・軟質シート両用として便利に使用できる。そのいずれの用途であっても、シート止め板材６は、横断面の中央下面部に下向きに突き出して止着シート５の張力を加増する押し縁１０がその先端部を丸めた形状に形成されているので、特に硬質シートの場合に緩みのない堅固な止着を実現でき好都合である。
【００１４】
一方、シート止め板材６は、横断面形状を上向きに少し膨らんだ形状とされ、且つ中央部分Ｅの板厚を若干薄く形成してバネ性を発揮する構成としたので、硬いアルミニウム製であっても前記膨らみを押し潰すような操作でシート５の止着作業を割合に容易に行うことができる。その際、シート受け溝形材１の開口縁部に形成された外向きの止め縁４の延長板部４ａは水平よりも少し前下がりの角度に傾斜しているので、シート止め板材６の両側縁部の掛け止め部９又は９’の嵌め込み操作を誘導する効果があり、シート５の止着操作を容易にできる。その一方、シート止め板材６の両側縁部の掛け止め部９は、シート受け溝形材１の延長板部４ａおよび折り返し部４ｂが形成する略Ｖ字形溝７の中へ一部入り込む形の円弧形状なので、軟質シート、硬質シートの何れであっても丸く又は柔らかく当たって止めるので、シート５を傷つけることなく確実、強力に止着できる。また、シートの張り替え等の必要に応じてシート止め板材６をシート受け溝形材１から引き外す場合には、前記円弧形状の掛け止め部９の先端と側壁３とが形成する隙間へバール等の工具先端を差し込み引き起こすことにより、比較的簡単に能率良く引き外し作業を進めることができる。
【００１５】
本発明のシート止着装置の場合も、上記シート止め板材６を使用してシート５を止着する以前に、予め１枚又は２枚のシート１２を個別に止め線１１を使用してシート受け溝形材１のシート受け溝２内に押し込み止着することができる。その上で、更にシート止め板材６を使用してシート５を止着する手順を実行することにより、２枚、３枚のシート５、１２を重ね張りすることが容易に可能である。したがって、ビニールハウスの断熱性を向上すること、又は遮光シートを止着して作物を太陽の直射日光から遮り保護する目的を達成することができる。
【発明を実施するための最良の形態】
【００１６】
開口部を幅狭に形成されたシート受け溝２を有し、前記シート受け溝２を形成する両側壁３、３の開口縁部に外向きの止め縁４を形成されたシート受け溝形材１と、前記シート受け溝形材１の長手方向に沿って開口部を覆い両側壁３、３の止め縁４との間にシート５を挟み同止め縁４へ掛け止めて同シート５を止着するシート止め板材６との組合せでシート止着装置を構成する。
前記シート受け溝形材１の両側壁３、３の開口縁部に外向きに形成された止め縁４は、側壁３の開口縁部の位置から外向きに湾曲され水平よりも少し前下がりの角度で延長されて側壁３との間に略Ｖ字形溝７を形成する延長板部４ａと、前記延長板部４ａの先端を裏側へ折り返した折り返し部４ｂとで構成する。
前記シート止め板材６は、前記シート受け溝形材１の開口縁部の延長板部４ａおよび折り返し部４ｂの外面に密着するように重なる上向きに少し膨らんだ横断面形状から成るものとし、その両側縁部に前記シート受け溝形材１の延長板部４ａおよび折り返し部４ｂが形成する略Ｖ字形溝７の中に一部入り込む円弧形状の掛け止め部９又は９’を設け、横断面中央部分Ｅの板厚を若干薄く形成する。
シート止め板材６には、その横断面の中央下面部に下向きに突き出して止着シート５に張力を加増する押し縁１０をその先端部を丸めた形状に形成する。
【実施例１】
【００１７】
図１と図２は、本発明に係るシート止着装置の第１実施例を示す。
これは図１で明らかなように、横断面がハの字形状の両側壁３、３によって開口部を幅狭に形成されたシート受け溝２を有し、前記シート受け溝２を形成する両側壁３、３の開口縁部に外向きの止め縁４、４を形成されたシート受け溝形材１と、前記シート受け溝形材１の長手方向に沿って開口部を覆う形に嵌め合わせ、前記両側壁３、３の止め縁４、４との間にシート５を挟んで止め縁４、４へ掛け止めて同シート５を止着するシート止め板材６との組合せで構成されている。
【００１８】
前記シート受け溝形材１の開口縁部に外向きに形成された止め縁４は、側壁３の上端の開口縁部の位置から外向きに湾曲され水平よりも少し前下がりの角度、例えば約２０度位の下り傾斜で若干の長さ延長されて側壁３との間に略Ｖ字形溝７を形成する延長板部４ａと、その先端を裏側へ折り返してぴったり重ね合わせた折り返し部４ｂとで構成されている。もっとも、折り返し部４ｂは、シート５を傷つけない程度に小さく丸めたカール部として形成しても良い。図１中の符号８はこの種のシート受け溝形材１の底壁に通例として長手方向に均等な三角断面で形成されるタップビス案内用の微小溝である。
因みに、本実施例のシート受け溝形材１は、帯鋼板のロールフォーミング成形加工法で製造されている。その寸法仕様について概説すると、左右の両側壁３、３の低部の最大外法寸法Ａ、高さ寸法Ｂ、開口部幅Ｃ、左右の折り返し部４ｂ、４ｂの外法間隔Ｄはそれぞれ、既往のシート受け溝形材と基本的にほぼ同形、同大である。従って、既往のシート受け溝形材に使用される連結具類はそのまま本実施例のシート止着装置に適用できる。
【００１９】
次に、上記シート止め板材６は、図１および図２並びに図３に示したように、上記シート受け溝形材１の開口縁部の止め縁４、具体的言えば延長板部４ａおよび折り返し部４ｂの外面に密着するように重なる、上向きに少し膨らませた横断面形状に形成されている。このシート止め板材６は、シート受け溝形材１と同じく長手方向に均等断面材であり、通例は軽量で強く錆びにくいアルミニウムの押し出し成形品として製造される（請求項３記載の発明）。
シート止め板材６の両側縁部には、上記シート受け溝形材１の延長板部４ａおよび折り返し部４ｂと側壁３とで形成する略Ｖ字形溝７の中に一部入り込む円弧形状であってくの字形にターンする掛け止め部９を有すると共に、横断面の中央部分は図１中に矢印Ｅで示した範囲の上面側の肉を盗んでその板厚を若干薄く形成し、適度なバネ性（弾力性）を発揮する構成とされている。具体的に言うと、このシート止め板材６の平均肉厚は１．２〜１．５ｍｍ程度であるところ、前記Ｅ範囲の肉厚は０．１〜０．５ｍｍ程度薄く設計されている。
因みに、このシート止め板材６の前記両側縁部の掛け止め部９、９間の内法間隔Ｆは、上記シート受け溝形材１の左右の折り返し部４ｂ、４ｂの外法間隔Ｄよりも少し小さく、その寸法差分が掛け止め効果、ひいてはシートの止着効果を発揮する構成とされている。Ｈは高さ寸法を示す。
【００２０】
シート止め板材６には、その横断面の中央下面部に、図２のように下向きに突き出して止着シート５に突き当たり同シート５の張力を加増する押し縁１０が、その先端部を丸めた形状に形成されている。シートの止着時には、この押し縁１０が止着シート５に突き当たり同シート５をピンと張ってその張力を加増する。その結果、硬質シートはもとより、軟質シートであっても、シート止め板材６がシート受け溝形材１の左右の止め縁４、４との間にシートを挟んで止めた際に起こり勝ちな緩みを解消して緊張する効果がある。ひいてはシート５をビニールハウス等の全面にわたり所定の張力でピンと張った状態に止めることができるし、爾後に緩んで弛む不都合も発生しにくい。押し縁１０が止着シート５に突き当たり同シート５の張力を加増する作用に際して同シート５を傷つけることがないように、押し縁１０は先端部を丸めた形状に形成されている。符号１３はタップビス案内用の微小溝である。
【００２１】
図１および図２のシート止着装置の使用法としては、予め組み立てたビニールハウスの骨組み材（図示は省略）の所要の位置へ、既往の連結具を使用して、シート受け溝２が外向きとなる態様で、既往の取り付け作業の内容を踏襲した同様の手法でシート受け溝形材１を取り付け固定する。その上で、前記シート受け溝２の面前にシート５を平面的に敷き均し、且つ適度な張力を賦与した状態を保ちつつ、同シート５の上方からシート止め板材６をその両側縁部の掛け止め部９、９が丁度シート受け溝形材１の両側壁上端の止め縁４、４の上へ等しく重なるように位置合わせをし、同シート止め板材６を強力に押して掛け止め部９、９を止め縁４、４の下側へ滑り込ませシート５を抱き止めさせる。或いは図２中に点線で示したように、シート止め板材６の片側の掛け止め部９を先行してシート受け溝形材１の一側の止め縁４へ掛け止め、ここを支点として右側の掛け止め部９を回転させつつ同側の止め縁４へ押し込んで掛け止める。
かくすると、シート止め板材６の横断面形状が少し上向きに膨らんだ形状であり、且つ中央部Ｅの範囲が薄肉のため弾力性を発揮して適度に反る変形をするので、上記のシート止着操作に際して、シート止め板材６の掛け止め部９、９をシート受け溝形材１の止め縁４、４の下側へ滑り込ませる動きを容易なものとし、シート止着操作を円滑に無理なく容易に行うことができる。その一方、図２で明らかなように、シート５を湾曲したり折り曲げる度合いは低いので（部分的に小さく丸める程度）、軟質シートはもとより、硬質シートであっても破損させることなく止着することができる。
【実施例２】
【００２２】
図４は、シート止め板材６の左側の掛け止め部９’が円形断面に形成された実施例を示す。この実施例は、上記のようにシート止め板材６の左側の掛け止め部９’を先行してシート受け溝形材１の左側の止め縁４へ掛け止めて、その位置を支点として右側の掛け止め部９を回転させて同側の止め縁４へ掛け止める操作に一層至便である。
図５の実施例はさらに進んで、シート止め板材６の両側の掛け止め部９’、９’が共に円形断面に形成された実施例を示す。
【実施例３】
【００２３】
図６は、シート受け溝形材１のシート受け溝２内に先行して、バネ性を有する波形状の止め線１１によりシート１２が押し込まれ止着されている。その上で、上記のシート止め板材６を用いて別異のシート５が止着された重ね張りの実施例を示す。なお、シート受け溝２内には、必要に応じて更にもう１枚のシートを別異の止め線を用いて止着することも可能である。
上記のようにしてシート５、１２の重ね張りを実施することにより、ビニールハウスの断熱性を高めたり、或いは作物の種類や生育状態に応じて、日光の直射を遮る遮光ネットを張ることが可能である。
【実施例４】
【００２４】
図７は、シート受け溝形材１の両側壁上端の止め縁４、４の形状、特に延長板部の形状が異なる実施例を示す。本実施例の延長板部は、側壁３の上端の開口縁部の位置から外向きに、一旦は水平よりもやや上向きに湾曲され、中間点付近からは水平よりも少し前下がりの角度に傾斜して延長した形に形成され、その先端を裏側へ折り返してぴったり重ね合わせた折り返し部とで止め縁４が構成されている。本実施例の構成でも、止め縁４は側壁３との間に略Ｖ字形状溝７を形成し、シート止め板材６の両側の掛け止め部９、９は確実に強力に止められる。
【図面の簡単な説明】
【００２５】
【図１】本発明に係るシート止着装置を分解状態で示した横断面図である。
【図２】前記シート止着装置の使用状態を示した横断面図である。
【図３】シート止め板材の斜視図である。
【図４】本発明に係るシート止着装置の第２実施例を示した横断面図である。
【図５】本発明に係るシート止着部材の異なる実施例を示した横断面図である。
【図６】本発明に係るシート止着装置の第３実施例を示した横断面図である。
【図７】本発明に係るシート止着装置の第４実施例を示した横断面図である。
【符号の説明】
【００２６】
１        シート受け溝形材  
２        シート受け溝
３        側壁
４        止め縁
５        シート
６        シート止め板材
４ａ      延長板部
４ｂ      折り返し部
７        略Ｖ字形溝
９、９’  掛け止め部
Ｅ        薄肉部
１０      押し縁
１１      止め線
１２      シート
【図１】
2005348691.tif 000003
【図２】
2005348691.tif 000004
【図３】
2005348691.tif 000005
【図４】
2005348691.tif 000006
【図５】
2005348691.tif 000007
【図６】
2005348691.tif 000008
【図７】
2005348691.tif 000009